(57)【特許請求の範囲】
【請求項１】
被検眼の眼底を照明する照明系と前記眼底を撮影する撮影系とを装置本体に備えるとともに、前記被検眼と前記装置本体との間の距離が適正作動距離であるか否かを検出するための作動距離検出手段を備え、この作動距離検出手段は、１つのアライメント視標を２つの視標にして被検眼の角膜に投影し、前記距離が適正作動距離であるとき、前記２つの視標の結像位置が一致し、適正作動距離でないとき２つの視標の結像位置が分離する眼底カメラにおいて、
前記眼底の中心部を撮影する場合と前記眼底の周辺部を撮影する場合とで前記適正作動距離を変更する作動距離変更手段が設けられ、
この作動距離変更手段は、前記眼底の周辺部を撮影する場合、眼底の中心部を撮影する場合に対して、前記アライメント視標の投影位置を前記撮影系の光軸方向に且つ被検眼に向けて、所定距離移動させまたは光学的に所定距離移動させて、前記被検眼と前記装置本体との間の適正作動距離を大きくし、
前記装置本体と被検眼との間の作動距離がその大きくなった適正作動距離となったとき、前記２つの視標の結像位置が一致することを特徴とする眼底カメラ。
【請求項２】
前記投影位置の光学的な所定距離の移動は、くさびプリズムまたは補正レンズで行うことを特徴とする請求項１に記載の眼底カメラ。
【請求項３】
前記眼底の周辺部を撮影する場合に撮影部位に対応した位置に固視標を提示し前記被検眼の視線を誘導する固視標投影系を備え、
前記作動距離変更手段は、前記固視標の提示位置の変更に連動して前記適正作動距離を変更することを特徴とする請求項１または請求項２に記載の眼底カメラ。
【請求項４】
被検眼の眼底を照明する照明系と、前記眼底を撮影する撮影系とを備え、前記照明系は、前記被検眼の角膜で反射した照明光が前記撮影系に混入することを防止する角膜絞りを有する眼底カメラにおいて、
前記角膜絞りは、前記眼底の中心部を撮影する場合と前記眼底の周辺部を撮影する場合とで、形状または大きさが異なる別の角膜絞りと交換可能となっており、
眼底の周辺部を撮影する場合、眼底の中心部を撮影する場合に比べ、前記角膜絞りは、遮光面積が大きいものであることを特徴とする眼底カメラ。
【発明の詳細な説明】
【０００１】
【発明の属する技術分野】
本発明は、眼底の撮影診断に使用する眼底カメラに関する。
【０００２】
【従来の技術】
眼底カメラでは、眼底中心部のほか、眼底の周辺部をも撮影することがある。すなわち、眼底中心部を撮影するときには、撮影光学系の光軸に沿った方向から被検眼に向けて固視標を投影し、被検眼の視線を撮影光学系の光軸と一致させた上で撮影を行う。一方、眼底周辺部を撮影するときには、撮影光学系の光軸とは異なる方向から固視標を投影し、被検眼の視線を撮影光学系の光軸と異なる方向に向けさせて撮影を行う。
【０００３】
【発明が解決しようとする課題】
しかしながら、従来の眼底カメラでは、眼底の周辺部を撮影しようとする場合、照明光学系からの照明光の角膜反射光が撮影光学系に混入し、これにより撮影画像の画質が低下するという問題があった。この問題について図１２を用いて説明する。
【０００４】
従来の眼底カメラの照明光学系は、角膜絞り１、虹彩絞り２、水晶体絞り３、対物レンズ５を備えている。その角膜絞り１、虹彩絞り２、水晶体絞り３はそれぞれ被検眼Ｅの角膜、虹彩、水晶体後面からの反射光の撮影光学系への混入を防止するためのものである。
【０００５】
図１２（ａ）に示すように、被検眼Ｅの眼底Ｅｆの中心部を撮影する場合には、角膜絞り１の端部を通った照明光束は図示しない穴あきミラーにより反射された後、対物レンズ５を通って被検眼Ｅに入射し、角膜Ｃにて対物レンズ５とは外れた方向に反射される。ところが、眼底Ｅｆの周辺部を撮影するために被検眼Ｅの視線方向を変えた場合には、図１２（ｂ）に示すように、上記照明光束と同様な光束が角膜Ｃにて反射された後に対物レンズ５に入射し、図示しない穴あきミラーの穴部を通過し、これが撮影光学系に混入して撮影画像の画質低下を招いていた。
【０００６】
本発明は、上記の事情に鑑みて為されたもので、被検眼の眼底周辺部を撮影する場合にも角膜反射光が撮影光学系に混入せず、撮影画像の画質向上を図ることのできる眼底カメラを提供することを課題としている。
【０００７】
【課題を解決するための手段】
上記課題を解決するため、請求項１の発明は、被検眼の眼底を照明する照明系と前記眼底を撮影する撮影系とを装置本体に備えるとともに、前記被検眼と前記装置本体との間の距離が適正作動距離であるか否かを検出するための作動距離検出手段を備え、この作動距離検出手段は、１つのアライメント視標を２つの視標にして被検眼の角膜に投影し、前記距離が適正作動距離であるとき、前記２つの視標の結像位置が一致し、適正作動距離でないとき２つの視標の結像位置が分離する眼底カメラにおいて、
前記眼底の中心部を撮影する場合と前記眼底の周辺部を撮影する場合とで前記適正作動距離を変更する作動距離変更手段が設けられ、
この作動距離変更手段は、前記眼底の周辺部を撮影する場合、眼底の中心部を撮影する場合に対して、前記アライメント視標の投影位置を前記撮影系の光軸方向に且つ被検眼に向けて、所定距離移動させまたは光学的に所定距離移動させて、前記被検眼と前記装置本体との間の適正作動距離を大きくし、
前記装置本体と被検眼との間の作動距離がその大きくなった適正作動距離となったとき、前記２つの視標の結像位置が一致することを特徴とする。
【０００８】
請求項２の発明は、前記投影位置の光学的な所定距離の移動は、くさびプリズムまたは補正レンズで行うことを特徴とする。
【０００９】
請求項３の発明は、請求項１又は請求項２に記載の眼底カメラにおいて、前記眼底の周辺部を撮影する場合に撮影部位に対応した位置に固視標を提示し前記被検眼の視線を誘導する固視標投影系を備え、前記作動距離変更手段が前記固視標の提示位置の変更に連動して前記適正作動距離を変更することを特徴とする。
【００１０】
請求項４の発明は、被検眼の眼底を照明する照明系と、前記眼底を撮影する撮影系とを備え、前記照明系は、前記被検眼の角膜で反射した照明光が前記撮影系に混入することを防止する角膜絞りを有する眼底カメラにおいて、
前記角膜絞りは、前記眼底の中心部を撮影する場合と前記眼底の周辺部を撮影する場合とで、形状または大きさが異なる別の角膜絞りと交換可能となっており、
眼底の周辺部を撮影する場合、眼底の中心部を撮影する場合に比べ、前記角膜絞りは、遮光面積が大きいものであることを特徴とする。
【００１１】
【発明の実施の形態】
〔実施例１〕
図１は本発明に係る眼底カメラを示す。この眼底カメラは、照明光学系６と、撮影光学系７と、観察光学系８と、アライメント指標投影系９と、固視標投影光学系１０とを有する。
【００１２】
照明光学系６は、観察光源１１、コンデンサレンズ１２、ダイクロイックミラー１３、角膜絞り１４、虹彩絞り１５、水晶体絞り１６、リレーレンズ１７、穴あきミラー１８、及び対物レンズ１９を有する。ダイクロイックミラー１３は可視光を透過し赤外光を反射する特性を備える。虹彩絞り１５にはリング状開口部１５ａが設けられ、穴あきミラー１８には穴部１８ａが設けられている。
【００１３】
観察光源１１からの照明光束は、コンデンサレンズ１２、ダイクロイックミラー１３を経て角膜絞り１４、虹彩絞り１５、水晶体絞り１６を通過し、リレーレンズ１７を介して穴あきミラー１８の近傍に一旦結像される。この照明光束は、虹彩絞り１５のリング状開口部１５ａによりリングスリット照明光となる。また、照明光学系６は、ダイクロイックミラー１３の背後に撮影光源２０、コンデンサレンズ２１を有する。
【００１４】
撮影の場合には、図示しない撮影ボタンの押下げによって撮影光源２０が発光する。撮影光源２０からの撮影光は、コンデンサレンズ２１、ダイクロイックミラー１３を透過して観察光源１１からの照明光と同様に穴あきミラー１８の近傍に一旦結像される。
【００１５】
撮影光学系７は、対物レンズ１９、穴あきミラー１８、後述するアライメント光束を反射させるハーフミラー２２、合焦レンズ２３、結像レンズ２４、跳ね上げミラー２５を有する。観察光学系８は、跳ね上げミラー２５、ダイクロイックミラー２６、テレビリレーレンズ２７を有し、撮像管２８、テレビモニター２９とともに観察系を構成する。
【００１６】
被検眼Ｅの眼底Ｅｆからの反射光は、対物レンズ１９に導かれ、この対物レンズ１９により眼底Ｅｆと共役な眼底共役面Ｒに一旦結像された後、穴あきミラー１８の穴部１８ａを通りハーフミラー２２を透過して、合焦レンズ２３、結像レンズ２４を介して跳ね上げミラー２５に導かれる。図２に示すように、ハーフミラー２２は波長７６０ｎｍの光束を約３０％透過し、それ以外の波長域の光束をほぼ１００％透過させる透過特性Ｔを有するので、眼底Ｅｆからの反射光束の光量がこのハーフミラー２２の存在により低下することは抑止される。
【００１７】
眼底像を形成するこの反射光束は、跳ね上げミラー２５によりフィールドレンズ３０の配設位置Ｒ’に再結像される。再結像された反射光束は、ダイクロイックミラー２６、テレビリレーレンズ２７を介して撮像管２８に受像され、テレビモニター２９の画面には眼底像Ｅｆ’が表示される。
【００１８】
撮影光学系７には、跳ね上げミラー２５に関してフィールドレンズ３０と共役位置にフィルム３１が設けられ、撮影時には撮影光源２０の発光と同時に跳ね上げミラー２５が撮影光学系７の光路から離脱し、眼底像Ｅｆ’がフィルム３１に結像記録されるようになっている。
【００１９】
アライメント指標投影系９は、アライメント光源であるＬＥＤ３２、ライトガイド３３、反射鏡３４、２孔絞り３５、リレーレンズ３６、ハーフミラー２２を有する。ＬＥＤ３２は中心波長が７６０ｎｍの近赤外光を出射する特性を備える。ライトガイド３３の射出端（アライメント指標）３３ａはリレーレンズ３６の光軸Ｏ（撮影光学系７の光軸Ｏ１）上に位置するように配置されている。
【００２０】
ライトガイド３３は、図３に示すように、被検眼眼底の周辺部撮影用の固視標の点灯に連動して、被検眼Ｅの方向に所定距離δだけ移動するようになっている。これにより、眼底周辺部を撮影する場合における眼底カメラの作動距離Ｗ’が、被検眼眼底の中心部を撮影する場合の作動距離Ｗよりも長くなり（Ｗ＜Ｗ’）、角膜反射光が撮影光学系７に入射してフィルム３１に達することが防止される。この点の詳細については後述する。
【００２１】
２孔絞り３５はリレーレンズ３６に近接するように、反射鏡３４とリレーレンズ３６との間に配設されている。図４（ａ）に示すように、２孔絞り３５は一対の孔部３５ａ，３５ｂを有し、この孔部３５ａ，３５ｂは光軸Ｏに関して対称位置に形成されている。リレーレンズ３６は、ライトガイド３３の射出端３３ａを穴あきミラー１８の穴部１８ａの中央位置（撮影光学系７の光軸Ｏ１上の位置）Ｘに一旦中間結像するようになっている。
【００２２】
ライトガイド３３の射出端３３ａから出射されたアライメント光束は、反射鏡３４により反射されて２孔絞り３５の孔部３５ａ，３５ｂに導かれる。この孔部３５ａ，３５ｂを通ったアライメント光束は、リレーレンズ３６を経た後にハーフミラー２２により穴あきミラー１８に向けて反射される。
【００２３】
穴あきミラー１８の穴部１８ａの中央位置Ｘに形成された一対のアライメント光束は、対物レンズ１９を介して被検眼Ｅの角膜Ｃに導かれる。ここで、被検眼Ｅに対する装置本体の上下左右方向の位置（ＸＹアライメント）が適正であり、かつ、被検眼Ｅから装置本体までの距離が適正作動距離Ｗであるときには、射出端３３ａからの一対のアライメント光束により角膜Ｃの頂点Ｃｆと角膜曲率中心Ｃｒとの中間位置Ｃｃにアライメント像が結像投影される。また、被検眼Ｅから装置本体までの距離が適正作動距離Ｗからずれているときには、一対のアライメント光束に基づくアライメント像は角膜Ｃの中間位置Ｃｃに光軸Ｏ１を境に分離して投影される。
【００２４】
角膜Ｃにより反射されたアライメント反射光束は、被検眼Ｅと装置本体との間の距離が適正作動距離Ｗであるときには、対物レンズ１９により眼底共役面Ｒ上に結像される。この眼底共役面Ｒ上に結像されたアライメント反射光束は、穴あきミラー１８の穴部１８ａを通り、眼底像Ｅｆ’を形成する反射光束と同様に撮像管２８に受像される。これにより、図５（ａ）に示すように、アライメント反射光束によるアライメント像（出射端３３ａの像）３３’が合致した状態で眼底像Ｅｆ’とともにテレビモニター２９の画面に表示される。
【００２５】
一方、被検眼Ｅと装置本体との間の距離が適正作動距離Ｗからずれているときには、図５（ｂ）に示すように、アライメント像３３’が分離してテレビモニター２９上に表示される。検者はこのアライメント光束に基づくアライメント像３３’の合致・分離を視認することにより、後述のようにアライメント調整を行うことができる（なお、本件に関連する特許としては、特公昭６０−５２８２０号公報、特開平６−２７７１８３号公報、特公昭６０−５７８５４号公報、特公昭６３−２２８２３号公報、特公昭６０−５７８８５号公報、特公平５−５４７７７号公報等がある）。
【００２６】
固視標投影光学系１０は、ダイクロイックミラー２６の背後に設けられている。この固視標投影光学系１０は、被検眼Ｅの視線誘導用の固視光源３７と、固視標としての絞り３８と、固視標投影レンズ３９とを有している。固視標は撮影光学系７の各光学系要素を通して被検眼Ｅの眼底Ｅｆに投影される。固視光源３７は複数個（例えば５個）設けられ、そのうちの１個が眼底中央部撮影用とされ、残りの４個が眼底周辺部撮影用とされている。図１では、眼底中央部撮影用の固視光源３７と、その両側に設けられた２個の眼底周辺部撮影用の固視光源３７とが示され、残りの２個の眼底周辺部撮影用の固視光源３７は紙面と直交する方向に配置されているので図示が略されている。眼底中央部を撮影するときには、眼底中央部撮影用の固視光源３７が点灯して被検眼Ｅに固視標が提示される。右、左、上、下等の眼底周辺部を撮影するときには、撮影したい眼底周辺部（撮影部位）に対応した固視光源３７が点灯して被検眼Ｅに固視標が提示される。
【００２７】
また、図６（ａ）に示すように、テレビモニター２９の画面中央位置には瞳孔の開き具合を判断するためのスケールＩが合成表示される。このスケールＩは眼底中央部を撮影する場合のアライメント像基準位置マーク（アライメント完了後にアライメント像３３’が位置すべき基準位置を示すマーク）としても使用される。
【００２８】
以下、本実施の形態に係る眼底カメラの作用を、眼底中央部を撮影する場合と眼底周辺部を撮影する場合とに分けて説明する。
【００２９】
［眼底中央部を撮影する場合］
眼底中央部を撮影する場合には、図示しない固視標選択スイッチにより眼底中央部撮影用の固視光源３７を選択、点灯させて、被検眼Ｅの視線方向を光軸Ｏ１と沿った方向に向けさせる。検者はこの状態で図示しないジョイスティック等により装置本体を移動操作して、そのＸＹアライメント及び被検眼Ｅまでの距離（以下、これらを合わせて「アライメント」という。）を調整する。
【００３０】
このアライメント調整が完了している場合には、図３（ａ）に示すように、アライメント像３３’の中間像が光軸Ｏ１上であってフィルム３１と光学的に共役な面Ｒ上に形成される。テレビモニター２９上では、アライメント像３３’がスケールＩと合致し、しかもピントのあった状態で観察される（図５（ａ））。
【００３１】
一方、アライメントの調整が完了していない場合には、アライメント像３３’は図５（ｂ）に示すように分離して表示され、しかもピントがボケた状態で観察される。検者は、このとき２つのアライメント像３３’が合致するように（図５（ａ）に示す状態となるように）装置本体を前後方向に移動操作し、被検眼Ｅまでの距離が適正作動距離Ｗとなるように調整する。また、テレビモニター２９に表示されたアライメント像３３’がスケールＩと合致していないときには、両者が合致するように装置本体を上下左右方向に移動操作してＸＹアライメントの調整を行う。
【００３２】
その後、検者は図示しない撮影ボタンを押して眼底像Ｅｆ’を撮影する。
【００３３】
［眼底周辺部を撮影する場合］
ここでは、被検眼Ｅの眼底Ｅｆの上側周辺部、すなわち、被検眼乳頭がテレビモニター２９の画面下半分の位置にあるような眼底像Ｅｆ’を撮影する場合を例にとって説明する。この場合には、図示しない固視標選択スイッチにより、被検者の視線を上方に向けさせるような固視光源３７を選択、点灯させる。この固視光源３７の点灯に伴い被検者の視線が上方に向くと、アライメントの調整が完了した状態では、図６（ｂ）に示すように、被検眼乳頭の像Ｅｐ’がテレビモニター２９の画面下半分の位置に表示される。
【００３４】
また、その視線を上方に向けるための固視光源３７が点灯すると、これに連動してテレビモニター２９の画面下部にはアライメント基準位置マーク４０ａが表示される。このアライメント基準位置マーク４０ａは、眼底Ｅｆの上側を撮影する場合にアライメント像３３’が位置すべき基準位置を示す。
【００３５】
さらに、この実施例１に係る眼底カメラでは、その固視光源３７の点灯に連動してライトガイド３３が所定距離δだけ被検眼方向へ移動し、眼底周辺部を撮影する場合の適正作動距離Ｗ’が眼底中心部を撮影する場合の適正作動距離Ｗよりも大きくなるようになっている。
【００３６】
詳細には、図７に示すように、ライトガイド３３は駆動機構４１を介してパルスモータ４２に接続され、パルスモータ４２は制御回路４３に接続され、制御回路４３には各固視光源３７及び図示しない固視標選択スイッチが接続されている。固視標選択スイッチにより眼底周辺部撮影用の固視光源３７が選択されると、制御回路４３は選択された固視光源３７を点灯させるとともにパルスモータ４２を所定回転量だけ駆動する。このパルスモータ４２の回転量は駆動機構４１によりライトガイド３３の光軸方向に沿った移動量δに変換され、このライトガイド３３の移動に伴い射出端３３ａのリレーレンズ３６に関する共役位置が光軸Ｏ１に沿ってずれ、対物レンズ１９による被検眼Ｅにおけるアライメント像の結像位置が対物レンズ１９から見て遠方にずれる。すなわち、駆動機構４１及びパルスモータ４２は作動距離変更手段を構成し、この作動距離変更手段によって被検眼Ｅにおけるアライメント像の投影位置が光軸Ｏ１の方向に沿って遠方にずれ、これにより眼底周辺部撮影時の適正作動距離が大きくなる。なお、駆動機構４１は、ラックとピニオンとの組合せ等、パルスモータ４２の回転運動をライトガイド３３のスライド移動に変換しうる公知の機構から構成されている。
【００３７】
図８に示すように、ＷからＷ’へと適正作動距離が大きくなると、角膜絞り１４の端部からの光線Ｌｃａは、適正作動距離が小さい場合に比べて角膜頂点Ｃｆから一層離れた位置に当たることになるので、このときの角膜Ｃにおける反射角度θ’は適正作動距離が小さい場合の反射角度θに比して大きくなる。したがって、眼底周辺部を撮影する場合の適正作動距離Ｗ’を適切な大きさに設定することにより、このような角膜反射光は対物レンズ１９の保持枠や穴あきミラー１８等によりカットされ、角膜反射光が撮影光学系７に入って撮像管２８やフィルム３１に到達することを防止することができる。
【００３８】
この適正作動距離Ｗ’は、照明系、撮影系の光学設計によって大きく異なるが、本実施例のようにリングスリット照明光を穴あきミラーを介して照明する形式の眼底カメラの場合には、適正作動距離の増加量ΔＷ＝Ｗ’−Ｗは大抵の場合１ｍｍ前後になると思われる。なお、この増加量ΔＷを必要以上に大きくすると、撮影画像の画質に影響するので、前述した角膜反射光束が撮影光学系７に入らないようにするために必要な最小限の移動量δを設定することが好ましい。
【００３９】
上記固視光源３７の点灯に応じて被検眼Ｅの視線が上方を向くと、図３（ｂ）に示すように、アライメントが完了した状態においてアライメント像３３’は撮影光学系７の光軸Ｏ１から上方へずれた位置に結像され、テレビモニター２９の画面上ではアライメント基準位置マーク４０ａの位置に表示されることになる（図６（ｂ））。したがって、検者は、このアライメント基準位置マーク４０ａとアライメント像３３’とが合致するように装置本体の位置を調整することによって、アライメントを完了させることができる。
【００４０】
同様に、眼底Ｅｆの下側を撮影する場合にはアライメント基準位置マーク４０ｂが、眼底Ｅｆの右側を撮影する場合にはアライメント基準位置マーク４０ｃが、眼底Ｅｆの左側を撮影する場合にはアライメント基準位置マーク４０ｄがそれぞれテレビモニター２９の画面に表示される。検者は、これらのアライメント基準位置マーク４０ｂ，４０ｃ，４０ｄのうち撮影部位に対応するいずれかとアライメント像３３’とを合致させることにより、アライメントを完了させることができる。本実施例においては、このように、眼底Ｅｆのどの部分を撮影するかによって変化するアライメント像３３’の画面上の位置に応じてアライメント基準位置マークの表示位置が変化するので、撮影光学系７の光軸Ｏ１と被験者の瞳孔中心とのアライメント調整が容易である。
【００４１】
また、眼底周辺部のいずれの部位を撮影する場合にもライトガイド３３が所定距離δだけ被検眼Ｅの方へ自動的に移動し、適正作動距離Ｗ’が眼底中心部を撮影する場合の適正作動距離Ｗよりも大きくなるように構成されているので、照明光学系６からの照明光束の角膜反射光が撮影光学系７に混入せず、有害光による撮影画像の画質低下が防止されて画質の向上を図ることができる。
【００４２】
以上の説明においては、図示しない固視標選択スイッチの操作に応じてアライメント基準位置マーク４０ａ，４０ｂ，４０ｃ，４０ｄのいずれかが表示されるように構成したが、例えば眼底Ｅｆのどの部分（中央、上側、下側、右側、左側）を撮影するかを選択する撮影部位選択スイッチを用意し、この撮影部位選択スイッチの操作に応じてアライメント基準位置マーク４０ａ，４０ｂ，４０ｃ，４０ｄのいずれかが表示されるように構成してもよい。あるいは、そのようなスイッチの操作とアライメント基準位置マークの表示とを連動させず、アライメント基準位置マーク４０ａ，４０ｂ，４０ｃ，４０ｄを選択的に点灯表示させる選択スイッチを設け、検者がこの選択スイッチを操作することによって所望のアライメント基準位置マークを直接点灯させるようにしてもかまわない。
【００４３】
上記実施例においては、眼底周辺部撮影用の固視光源３７の点灯に応じてライトガイド３３を自動的に移動させたが、マイクロメータヘッド等を使用して手動で移動させる構成としてもよい。あるいは、ライトガイド３３を光軸方向に沿って移動させることにより適正作動距離を変更していたが、例えばライトガイド３３の射出端３３ａ付近に補正レンズや平行平面板を挿入することにより適正作動距離を変更するような構成としてもよい。
【００４４】
さらに、眼底周辺部を撮影する場合に、２孔絞り３５を図４（ｂ）に示す２孔絞り３５’に交換するようにしてもよい。この２孔絞り３５’では孔部３５ａ’，３５ｂ’が中心部から距離Δだけずれた位置に形成され、これによりアライメント光束が撮影絞りでけられにくくなり、アライメントの調整が一層容易になる。
【００４５】
〔実施例２〕
図９は、本発明の他の実施例を示すものである。この実施例は、複数のパルスモータ４２及び駆動機構４１により、ライトガイド３３の射出端３３ａを光軸方向だけでなく光軸と垂直な方向にも移動可能に構成している点で実施例１と異なる。ここでは、眼底周辺部を撮影する場合にもアライメント像３３’の基準位置がテレビモニター２９の画面中央のスケールＩと重なるように、制御回路４３は射出端３３ａを上下左右に移動させ、もってアライメント基準位置マーク４０の表示の変更が不要となっている。これ以外の点については実施例１と同様であるので全体構成の説明は省略する。
【００４６】
本出願人は、すでにこの態様を特願平１０−１０６１１５号により出願している。この出願では、眼底周辺部を撮影する場合には、図９（ａ）に示すように、射出端３３ａを眼底中央部を撮影する場合の位置αから被検眼Ｅから見て斜め後方の位置βへと矢印Ｓ方向に移動させ、光軸Ｏ１に対して斜めに傾いた角膜焦点面Ｑの端部の所定位置に虚像３３ｖを形成している。ここにいう「位置β」とは、その虚像３３ｖからあたかも射出するかのように角膜Ｃにおいて反射する光束が平行光束となり、アライメント完了時において眼底共役面Ｒ上の光軸Ｏ１上の位置に射出端３３ａの像が形成されるような位置である。このような位置βに射出端３３ａを移動させることにより、眼底周辺部を撮影する場合にもアライメント像３３’の形成位置がテレビモニター２９の画面中央のスケールＩに重なるとともに、眼底中心部を撮影する場合と眼底周辺部を撮影する場合とで適正作動距離Ｗが不変になる。
【００４７】
しかし、前述したように、眼底中心部を撮影する場合と眼底周辺部を撮影する場合とで適正作動距離Ｗが不変であると、角膜反射光が撮影光学系７に混入し、得られる眼底像の画質が低下してしまう。そこで、本実施例でも、眼底周辺部を撮影する場合の適正作動距離Ｗ’を眼底中心部を撮影する場合の適正作動距離Ｗよりも長くするために、図９（ｂ）に示すように、ライトガイド３３の射出端３３ａを位置βよりも被検眼Ｅの方へ距離δ’だけ光軸方向に沿って移動させる。この移動させる距離δ’は、光学系の設計によって異なる。
【００４８】
なお、本実施例においても、適正作動距離の変更はライトガイド３３を移動させて行うものに限られず、例えば射出端３３ａ付近にくさびプリズムを挿入したり、光軸をずらした補正レンズを挿入したりしてその変更を行ってもよい。
【００４９】
〔実施例３〕
上記の２つの実施例においては、眼底周辺部を撮影する場合に、眼底中央部を撮影する場合に比して適正作動距離を長くして有害光の撮影への影響を防止しているが、本実施例においては、眼底周辺部を撮影する場合と眼底中央部を撮影する場合とで適正作動距離は不変とし、代わりに形状又は大きさの異なる角膜絞りを複数枚用意して、眼底周辺部を撮影する場合には角膜絞り１４を交換するようにする。
【００５０】
例えば、中心位置の異なる角膜絞りを２枚用意し、眼底中心部を撮影する場合には、その中心位置が光軸Ｏ１と一致した角膜絞り１４ａのみを光路に挿入させ（図１０（ａ））、眼底周辺部を撮影する場合には、その中心位置が光軸Ｏ１からずれた角膜絞り１４ｂを角膜絞り１４ａに重ねて挿入する（図１０（ｂ））。これにより、眼底周辺部を撮影する場合には眼底中央部を撮影する場合に比べて図中の斜線部の分だけ全体として遮光面積が大きくなり、角膜反射光の撮影光学系７への混入を防止することができる。この際、斜線部が光軸回りのどの位置にくるようにするかは光学系の部品配置により異なるが、図１に示すような光学系の場合には、被検眼Ｅの光軸が傾く方向と反対方向に上記斜線部がくることが好ましい。
【００５１】
また、図１１に示すような一方向に長い遮光部を有する角膜絞り１４ｃを光軸回りに回転可能に設け、眼底中央部及び眼底周辺部（右側、左側）を撮影する場合には例えば図１１（ａ）のような状態に配置し、眼底周辺部（上側、下側）を撮影する場合にはそれを９０度回転させ、図１１（ｂ）のような状態に配置して使用するようにしてもよい。
【００５２】
以上説明した各実施例では、複数個の固視光源の点灯状態を切り換えることにより固視標の提示位置を変更する構成としたが、１個の固視光源を使用してこれを移動させることにより、固視標の提示位置を変更する構成としてもよい。
【００５３】
【発明の効果】
本発明に係る眼底カメラは、以上説明したように、眼底周辺部を撮影する場合に眼底中心部を撮影する場合よりも適正作動距離が長くなるように、又は眼底中心部を撮影する場合と眼底周辺部を撮影する場合とで角膜絞りの形状若しくは大きさが変更されるように構成したので、眼底周辺部を撮影する場合にも角膜反射光が撮影光学系に混入せず、撮影画像の画質向上を図ることができるという効果を奏する。
【図面の簡単な説明】
【図１】実施例１に係る眼底カメラの光学系を示す説明図である。
【図２】図１のハーフミラーの透過特性を示す説明図である。
【図３】実施例１に係る眼底カメラのアライメント指標の投影原理の説明図であって、（ａ）は被検眼の光軸と撮影光学系の光軸とが一致している場合に、アライメント像が撮影光学系の光軸上で眼底共役面上に形成された状態を示し、（ｂ）は被検眼の光軸に対して撮影光学系の光軸が所定角度傾いている場合に、アライメント像が撮影光学系の光軸上からずれて眼底共役面上に形成された状態を示す。
【図４】（ａ）は図１の２孔絞りを示す正面図、（ｂ）は（ａ）の２孔絞りの変形例を示す正面図である。
【図５】図１の眼底カメラにより観察される眼底像を示す説明図であって、（ａ）は被検眼から装置本体までの距離が適正作動距離である場合を示し、（ｂ）は被検眼から装置本体までの距離が適正作動距離でない場合を示す。
【図６】図１の眼底カメラにより観察される眼底像を示す説明図であって、（ａ）はテレビモニターの画面上に表示された眼底中央部の像とアライメント像とを示し、（ｂ）はテレビモニターの画面上に表示された眼底周辺部の像とアライメント像とを示す。
【図７】図１のライトガイドの移動機構を示すブロック図である。
【図８】適正作動距離の変化により角膜反射光の出射角度が変化する様子を示す説明図である。
【図９】実施例２に係る眼底カメラのアライメント指標の投影原理の説明図であって、（ａ）は被検眼の光軸と撮影光学系の光軸とが一致している場合に、アライメント像が撮影光学系の光軸上で眼底共役面上に形成された状態を示し、（ｂ）は被検眼の光軸に対して撮影光学系の光軸が所定角度傾いている場合に、アライメント像が撮影光学系の光軸上で眼底共役面上に形成された状態を示す。
【図１０】実施例３に係る眼底カメラの角膜絞りの一例を示し、（ａ）は眼底中心部を撮影する場合の角膜絞りの正面図、（ｂ）は眼底周辺部を撮影する場合の角膜絞りの正面図である。
【図１１】実施例３に係る眼底カメラの角膜絞りの他の例を示し、（ａ）は眼底中心部を撮影する場合の角膜絞りの正面図、（ｂ）は眼底周辺部を撮影する場合の角膜絞りの正面図である。
【図１２】従来の眼底カメラの照明光学系を示し、（ａ）は眼底中心部を撮影する場合、（ｂ）は眼底周辺部を撮影する場合を示す説明図である。
【符号の説明】
６    照明光学系（照明系）
７    撮影光学系（撮影系）
８    観察光学系（作動距離検出手段）
９    アライメント指標投影系（作動距離検出手段）
３３  ライトガイド
３３ａ  射出端
４１  駆動機構
４２  パルスモータ
４３  制御回路
Ｅ    被検眼
Ｅｆ  眼底
Ｗ    適正作動距離
【図１】
0004231146.tif 000002
【図２】
0004231146.tif 000003
【図３】
0004231146.tif 000004
【図４】
0004231146.tif 000005
【図５】
0004231146.tif 000006
【図６】
0004231146.tif 000007
【図７】
0004231146.tif 000008
【図８】
0004231146.tif 000009
【図９】
0004231146.tif 000010
【図１０】
0004231146.tif 000011
【図１１】
0004231146.tif 000012
【図１２】
0004231146.tif 000013